(57)【特許請求の範囲】
【請求項１】
外枠と、前記外枠の一側に開閉自在に取り付けられる前面枠体とを有し、前記前面枠体の前面にガラス板保持枠と打球供給皿を有する前面板を開閉自在に設けてなるパチンコ遊技機において、
発射レールと、前記発射レールの発射位置に臨む打球杆と、前記打球杆の駆動源とをそれぞれ保持体に一体に組付けると共に、前記打球杆の発射動作に連動して前記打球供給皿に貯留される打球を１個ずつ前記発射レールの発射位置に供給する自動球送り装置をケース体に収納し、かつそのケース体を前記保持体に前後方向へ開閉可能に取り付けることにより打球発射機構をユニット化し、
前記ユニット化された打球発射機構を前記前面枠体に着脱自在に装着すると共に、前記ケース体を閉止しかつ前記前面板を閉じた状態において前記ケース体の後面壁を発射レールの前縁に密着させるようにしたことを特徴とするパチンコ遊技機。
【請求項２】
前記前面枠体に複数の係合孔を設けると共に、前記保持体の裏面側に複数の嵌合突起を突設し、前記保持体を前記前面枠体の板状部に密着させると共に、前記嵌合突起を前記係合孔に係合させることにより、前記打球発射機構を前記前面枠体に着脱自在に取り付けるようにしたことを特徴とする請求項１記載のパチンコ遊技機。
【請求項３】
前記係合孔は、大径孔部と小径孔部とが連通状に設けられた鍵穴形状であり、前記嵌合突起は、前記係合孔の大径孔部に嵌合可能な大径頭部と前記小径孔部に係合可能な細径基部とを有することを特徴とする請求項２記載のパチンコ遊技機。
【請求項４】
前記ケース体の前面壁に、前記自動球送り装置の球通路と連通する球導入口を設け、前記前面板を閉じた状態で前記ケース体の球導入口と前記前面板に開設された前記打球供給皿の球導出口とが連通されると共に、前記球通路に回動可能に軸支された球供給部材の球受部が前記発射レールの発射位置に対峙するようになっている請求項１記載のパチンコ遊技機。
【発明の詳細な説明】
【０００１】
【発明の属する技術分野】
本発明は、パチンコ遊技機に関し、特に打球発射機構の取り付け取り外しが容易なパチンコ遊技機に関するものである。
【０００２】
【従来の技術】
従来のパチンコ遊技機は、周知のように縦長の方形状に枠組形成された外枠と，該外枠の一側に開閉自在に軸支される前面枠とを有し、該前面枠の裏面に遊技盤取付枠を介して遊技盤が着脱自在に装着されている。また，前面枠の前面上部には、金枠を介して遊技盤の遊技領域を覆うガラス板保持枠が設けられており、さらに前面枠の前面下部には、打球供給皿を有する前面板と、打球供給皿から溢れ出る賞球を貯留するための余剰球受皿や打球発射用の操作ハンドルが設けられている。一方、遊技盤の下端を受ける遊技盤取付枠の板状の下枠部前面には金属製の発射レールが設けられ、前面枠の裏面下部に発射レールの発射位置に臨む打球杆や、該打球杆の駆動源としてのモータやソレノイド等からなる打球発射機構が設けられている。また、打球供給皿を有する前面板の裏面には打球杆の発射動作に連動して打球供給皿に貯留される打球を１個ずつ発射レールの発射位置に供給する自動球送り装置等が設けられている。
【０００３】
【発明が解決しようとする課題】
上記のような従来のパチンコ遊技機によれば、遊技盤取付枠の下枠部前面に発射レールを取り付け、前面枠に打球杆や該打球杆の駆動源としてのモータやソレノイドを取り付け、さらに前面板の内側に自動球送り装置を取り付ける等打球発射機構を構成する複数の各種部品を所定位置に別々に取り付けるようになっていたため、その取付け作業や故障した場合における修理、交換が面倒で手間が掛かると共に、発射レールと打球杆或いは発射レールと自動球送り装置とを正しく整合させることが困難であるという問題点があった。
【０００４】
本発明は、上記した問題点に鑑みてなされたもので、その目的とするところは、打球発射機構の取り付け取り外しがワンタッチで簡単にできると共に、故障が発生した場合の修理、交換も簡単に行うことができ、さらに打球を安定した状態で発射できると共に、発射レールの拭き掃除や点検、交換作業等が容易に行えるようなパチンコ遊技機を提供することにある。
【０００５】
【課題を解決するための手段】
上記した目的を達成するために、請求項１記載の発明は、外枠と、該外枠の一側に開閉自在に取り付けられる前面枠体とを有し、該前面枠体の前面にガラス板保持枠と打球供給皿を有する前面板を開閉自在に設けてなるパチンコ遊技機において、発射レールと、該発射レールの発射位置に臨む打球杆と、該打球杆の駆動源とをそれぞれ保持体に一体に組付けると共に、打球杆の発射動作に連動して打球供給皿に貯留される打球を１個ずつ発射レールの発射位置に供給する自動球送り装置をケース体に収納し、かつそのケース体を前記保持体に前後方向へ開閉可能に取り付けることにより打球発射機構をユニット化し、前記ユニット化された打球発射機構を前面枠体に着脱自在に装着すると共に、ケース体を閉止しかつ前面板を閉じた状態において前記ケース体の後面壁を発射レールの前縁に密着させるようにしたことを特徴としている。
【０００６】
また、請求項２記載の発明は、請求項１記載の発明であって、前記前面枠体の板状部に複数の係合孔を設けると共に、保持体の裏面側に複数の嵌合突起を突設し、保持体を前面枠体の板状部に密着させると共に、嵌合突起を係合孔に係合させることにより、打球発射機構を前面枠体に着脱自在に取り付けるようにしたことを特徴としている。
【０００７】
さらに、請求項３記載の発明は、請求項２記載の発明であって、前記係合孔は、大径孔部と小径孔部とが連通状に設けられた鍵穴形状であり、嵌合突起は、係合孔の大径孔部に嵌合可能な大径頭部と小径孔部に係合可能な細径基部とを有することを特徴としている。
【０００８】
また、請求項４記載の発明は、請求項１記載の発明であって、前記ケース体の前面壁に、自動球送り装置の球通路と連通する球導入口を設け、前面板を閉じた状態でケース体の球導入口と前面板に開設された打球供給皿の球導出口とが連通されると共に、前記球通路に回動可能に軸支された球供給部材の球受部が発射レールの発射位置に対峙するようになっていることを特徴としている。
【０００９】
そして、請求項１記載の発明によれば、打球発射機構の組付け作業が非常に容易になって作業コストを安くすることができると共に、ケース体の後面壁がガイド面となって打球を安定した状態で発射させることができ、さらに発射レールの拭き掃除や点検、交換作業等を容易に行うことができる。
【００１０】
また請求項２及び請求項３記載の発明によれば、打球発射機構の取り付け取り外しが簡単にでき、故障が発生した場合の修理、点検を容易に行うことが可能となる。さらに、請求項４記載の発明によれば、打球供給皿の打球を発射レールの発射位置に正しく供給することが可能となる。
【００１１】
【発明の実施の形態】
次に、図面を参照して本発明の一実施の形態を説明する。図１はパチンコ遊技機の正面図、図２はパチンコ遊技機の裏面図、図３はガラス板保持枠と打球供給皿を有する前面板及び余剰球受皿を有する前面下部板を開いた状態の斜視図、図４は前面枠体の斜視図である。図１において、パチンコ遊技機１は、縦長な方形状に枠組み形成される外枠２と、該外枠２の一側にヒンジ機構３によって開閉自在に装着される前面枠体４とを備え、該前面枠体４の前面一側にガラス板保持枠５と、打球供給皿６を有する前面板７及び余剰球受皿８を有する前面下部板９とがそれぞれ開閉自在に軸支されている。また、前面下部板９には打球発射用の操作ハンドル１０が設けられている。
【００１２】
前記前面枠体４は、図４に示すように鉄板等の金属板によって形成されるもので、上部にほぼ正方形状の開口部１１が形成され、その下部が板状部１２ａとして形成された主枠部１２と、該主枠部１２の裏面側であり、開口部１１の上側位置を除く左右両側位置及び下側位置にそれぞれカシメ着されて該主枠部１２と一体化される遊技盤取付枠１３とを有し、その遊技盤取付枠１３であり、かつ主枠部１２の開口部１１を覆うように遊技盤１４が着脱可能に取り付けられるようになっている。
【００１３】
前記前面枠体４の主枠部１２であり、開口部１１の下方の板状部１２ａには、円形状の取付孔１５とほぼ四角形状の取付孔１６が貫通形成されており、円形状の取付孔１５の周囲には複数の係合孔２１と、間隔を離して縦溝孔８３，８３が対向状に設けられている。また、円形状取付孔１５の両側位置にＵ字形の切欠溝８４により弾性が付与された弾圧片８５，８５が形成されている。前記複数の係合孔２１は大径孔部２１ａと小径孔部２１ｂとが連通状に設けられた鍵穴形状のものである。また、弾圧片８５には小突起８６が一体に突設されている。
【００１４】
そして、前記前面枠体４の主枠部１２前面には、図３に示すように遊技盤１４の遊技領域外を覆うように合成樹脂により形成されたレール飾り部材１７と、同じように合成樹脂により形成されたレール変形防止部材１８が設けられ、遊技盤１４の遊技領域外には、証紙貼付部材１９等が設けられている。また、前記円形状の取付孔１５には後述する打球発射機構３７が取り付けられ、四角形状の取付孔１６には通路構成体２０が着脱自在に装着されるようになっている。
【００１５】
一方、図２に示すように前記前面枠体４の裏面には、合成樹脂製の機構板２２が上下のヒンジ２３，２３を介して着脱及び開閉自在に設けられている。この機構板２２は、遊技盤１４の裏面に相対する板状部を有し、該板状部の前面に入賞球集合カバー２４が収納される入賞球集合空間が形成され、その入賞球集合空間の下方部に樋状の入賞球集合部２２ａが設けられている。また、機構板２２の板状部の裏面上部には貯留球タンク２５と、該貯留球タンク２５に貯留された球を下流側に整列しながら誘導する球誘導樋２６が設けられており、さらに球誘導樋２６の下流側には屈曲誘導樋２７を介して賞球払出装置２８が着脱可能に設けられている。また、賞球払出装置２８の下方には、払い出された賞球を打球供給皿６に導く賞球排出通路２９、該打球供給皿６の賞球出口３０の側方に連通状に設けられる余剰球通路３１、アウト球通路３２、球抜通路３３等が設けられており、余剰球通路３１の流下端が前記通路構成体２０の余剰球誘導通路３４に連通され、アウト球通路３２の流下端が前記通路構成体２０のアウト球排出通路部３５に連通され、さらに球抜通路３３の流下端が前記通路構成体２０の球抜き排出通路部３６にそれぞれ連通されるようになっている。
【００１６】
しかして、前記打球発射機構３７は、図５乃至図８に示すように発射レール３８と、該発射レール３８の発射位置に臨む打球杆３９と、該打球杆３９の回動範囲を規制するストッパー４０，４０と、打球杆３９の駆動源としてのロータリーソレノイド４１と、打球杆３９の発射動作に連動して打球供給皿６に貯留される打球を１個ずつ発射レール３８の発射位置に供給する自動球送り装置４２とをそれぞれ保持体４３に一体に組付けてユニット化されている。
【００１７】
前記保持体４３は、肉厚に形成された１枚の金属板により形成されており、該保持体４３には、図７に示すようにロータリーソレノイド４１をビス止めするための複数の取付孔４４やロータリーソレノイド４１の駆動軸４５を臨ませるための透孔４６が穿設されている。また、保持体４３の表側には、発射レール３８を取り付けるための複数の取着凸部４７や自動球送り装置４２を取り付けるための間隔保持突起４８、或いは打球杆３９のストッパー取付部４９、把手片８７等が一体に設けられており、保持体４３の裏側には主枠部１２の板状部１２ａに設けられた係合孔２１に嵌合する複数の嵌合突起５２と、縦溝孔８３，８３に嵌合する規制突条８８，８８が突設され、さらに、弾圧片８５，８５の小突起８６，８６が嵌合する凹孔８９，８９が設けられている。前記複数の嵌合突起５２は、図８に示すように大径頭部５０と細径基部５１とを一体に有する。
【００１８】
前記発射レール３８は、ステンレスにより上面に浅いＶ字状のガイド溝３８ａが形成された断面門形形状に形成されており、保持体４３の表面側に突設された複数の取着凸部４７にビス止めされるようになっている。詳細に説明すると、前記取着凸部４７は、図９に示すようにその突出長さが発射レール３８の内側間隔とほぼ同一寸法に形成されており、かつその基部に凹溝５３が形成されている。そして、発射レール３８の一方の側片部３８ｂを凹溝５３に嵌めこんで保持体４３の表面に密着させると共に、他方の側片部３８ｃを取着凸部４７の先端に当接させた後、発射レール３８の取付孔５４から取着凸部４７のねじ孔５５にビス５６を締着することにより強固に取り付けられるようになっている。このように、発射レール３８を取着凸部４７を介して取り付けることにより通常発射レール３８の内側に装着される補強用の中子部材を不要とすることができる。
【００１９】
一方、前記自動球送り装置４２は、図７及び図１０、１１に示すように垂直状の球通路６７を有する通路枠６６と、該通路枠６６の球通路６７に設けられる球供給部材５８と、該球供給部材５８を作動させる電磁石５９とから構成されており、箱状のケース体５７内に一体に収納されている。前記ケース体５７は、後カバー部５７ａと前カバー部５７ｂとの二部材で形成されてねじ９０，９０により一体化されるもので、その前カバー部５７ｂの一側上下部に設けられた軸部材６０，６０を前記保持体４３の表面側に固着されたベース枠６２の軸受部６３に軸支させることにより図５に示す閉止位置と図６に示す開放位置とに開閉できるようになっている。
【００２０】
前記通路枠６６は、ケース体５７の前カバー部５７ｂにねじ９１，９１で固着されており、その球通路６７の上流端が前カバー部５７ｂの前面壁６４に開設された球導入口６５に臨まされている。また、前記球供給部材５８は、図１１に示すように発射レール３８と平行に設けられた横軸６８により上下方向へ回動可能に軸支されており、かつ円弧状に形成された球受部６９と横軸６８より下方であり通路枠６６の外方に突出する係合ピン７０とが設けられている。そして、係合ピン７０の突出端が通路枠６６の側方に沿って上下動自在に設けられた連動部材７１の係合溝７２に臨まされている。
【００２１】
一方、前記電磁石５９は、Ｌ字形の支持板７３を一体に備え、該支持板７３の両側縁をケース体５７の後カバー部５７ａと前カバー部５７ｂのそれぞれ内側面に設けられた突条９２，９２間の溝部９３に嵌め合わせることにより通路枠６６の側方に固定されており、その下方に磁性体からなる可動板７４が対設されている。この可動板７４は、後端が支持板７３の下端に形成された係止溝７５に係止されて上下方向へ回動可能なように支持されており、常にはバネ７６によって図１０実線で示す下向きに回動付勢されている。また、可動板７４の先端は、連動部材７１の係合部７７に上方から係合するようになっている。
【００２２】
このように構成された自動球送り装置４２は、図５及び図１１に示すようにケース体５７を閉止した状態のときケース体５７の後カバー部５７ａが前記保持体４３の表面に突設された規制杆７９に当接されてその後カバー部５７ａの後面壁７８が発射レール３８の前縁に密着するように位置すると共に、球供給部材５８の球受部６９が発射レール３８の発射位置に正しく対峙するようになっている。また、前面板７を閉じた状態においてケース体５７の前カバー部５７ｂであり、その前面壁６４に開設された球導入口６５と前面板７に開設された打球供給皿６の球導出口８０とが連通されるようになっている。なお、前面板７の内側には、自動球送り装置４２を正しく位置規制するための位置決め突起８１が突設されており、ケース体５７の前カバー部５７ｂであり、その前面壁６４には位置決め突起８１が嵌合する位置決め孔８２が設けられている。
【００２３】
そして、前記ロータリーソレノイド４１による打球杆３９の発射動作に同期して電磁石５９が励磁されると、該電磁石５９の励磁に伴う可動板７４の吸着作用（図１０鎖線参照）により連動部材７１を介して球供給部材５８が図１１鎖線のように上向き（反時計回り方向）回動され、電磁石５９の消磁に伴う可動板７４の下方への回動（図１０実線位置）により連動部材７１を介して球供給部材５８が下向き（時計回り方向）回動されるもので、球供給部材５８の上向き回動により球通路６７の先頭に位置する打球を球受部６９に受け入れて保持し、球供給部材５８が下向き回動されるとその球受部６９の打球を発射レール３８の発射位置に供給するようになっている。
【００２４】
上記のようにユニット化された打球発射機構３７を前面枠体４の主枠部１２に取り付けるには、図８及び図１２に示すように先ず主枠部１２の板状部１２ａに貫通形成された円形状取付孔１５にロータリーソレノイド４１を前面側から臨ませると共に、嵌合突起５２の大径頭部５０を板状部１２ａに穿設された係合孔２１の大径孔部２１ａに嵌めて保持体４３を板状部１２ａに密着させる。この際に、保持体４３の規制突条８８，８８が板状部１２ａの縦溝孔８３，８３に嵌合されることになり、これによって、該保持体４３が左右方向へがたつかないように確実に位置規制されることになる。次に、この状態で把手片８７を指で押して保持体４３を下方へ押し下げ嵌合突起５２の細径基部５１と係合孔２１の小径孔部２１ｂとを係合させる。この保持体４３の押し下げにより弾圧片８５の小突起８６が保持体４３の凹孔８９，８９に嵌合して該保持体４３が上下方向へがたつかないように確実に位置規制される。これによって、打球発射機構３７を前面枠体４の主枠部１２にビス止めすることなくワンタッチで強固に、かつ正確に取り付けることができる。
【００２５】
また、このようにして、前面枠体４の主枠部１２に取り付けられた打球発射機構３７を取り外すには、保持体４３を上方へ押し上げて嵌合突起５２の細径基部５１を係合孔２１の小径孔部２１ｂから外した後、嵌合突起５２の大径頭部５０を係合孔２１の大径孔部２１ａに一致させることによって簡単に達せられる。そして、自動球送り装置４２をケース体５７に収納して保持体４３に開閉可能に取り付けることにより、零れ球等から自動球送り装置４２をガードすることができると共に、ケース体５７を閉止した状態において発射レール３８の前縁に密着するケース体５７の後カバー部５７ａが打球杆３９により発射される打球のガイド面となって良好な球とびが得られることになる。また、図６に示すように自動球送り装置４２を開放すれば発射レール３８の拭き掃除や点検、交換作業などが容易となる利点がある。
【００２６】
【発明の効果】
以上説明したように、請求項１の発明では、発射レールと、該発射レールの発射位置に臨む打球杆と、該打球杆の駆動源とをそれぞれ保持体に一体に組付けると共に、打球杆の発射動作に連動して打球供給皿に貯留される打球を１個ずつ発射レールの発射位置に供給する自動球送り装置をケース体に収納し、かつそのケース体を前記保持体に前後方向へ開閉可能に取り付けることにより打球発射機構をユニット化し、前記ユニット化された打球発射機構を前面枠体に着脱自在に装着するようにしたものであるから、打球発射機構の組付け作業が非常に容易になって作業コストを安くすることができると共に、ケース体を開放することによって発射レール３８の拭き掃除や点検、交換作業等を容易に行うことができる。
【００２７】
また、前面板を閉じた状態においてケース体の後面壁を発射レールの前縁に密着させるようにしたものであるから、ケース体の後カバー部が打球杆により発射される打球のガイド面となって良好な球とびが得られる。
【００２８】
また、請求項２及び請求項３の発明は、保持体に突設された大径頭部と細径基部とを有する嵌合突起を前面枠体の板状部に穿設された大径孔部２１ａと小径孔部とを有する鍵穴形状の係合孔に係脱させることにより、打球発射機構を前面枠体の主枠部にビス止めすることなくワンタッチで取り付けるようにしたものであるから、打球発射機構の取り付け取り外しが簡単にでき、故障が発生した場合の修理、点検を容易に行うことができる。
【００２９】
さらに、請求項４の発明では、前面板を閉じた状態でケース体の球導入口と前面板に開設された打球供給皿の球導出口とが連通されると共に、球供給部材の球受部が発射レールの発射位置に正しく対峙されることになり、打球供給皿の打球を発射レールの発射位置に正しく供給することができる。
【図面の簡単な説明】
【図１】  パチンコ遊技機の正面図である。
【図２】  パチンコ遊技機の裏面図である。
【図３】  ガラス板保持枠と打球供給皿を有する前面板及び余剰球受皿を有する前面下部板を開いた状態の斜視図である。
【図４】  前面枠体の前面からの斜視図である。
【図５】  打球発射機構の取り付け状態を示す斜視図である。
【図６】  自動球送り装置を開放した状態の斜視図である。
【図７】  打球発射機構の分解斜視図である。
【図８】  打球発射機構を前面枠体から取り外した状態の斜視図である。
【図９】  発射レールの取り付け状態を示す側面断面図である。
【図１０】  自動球送り装置の作用を説明する正面図である。
【図１１】  自動球送り装置の作用を説明する側面断面図である。
【図１２】  打球発射機構の嵌合突起と前面枠体の円形状取付孔との係合状態を示す側面断面図である。
【符号の説明】
２          外枠
４          前面枠体
５          ガラス板保持枠
６          打球供給皿
７          前面板
１１        開口部
１２ａ      板状部
１４        遊技盤
２１ａ      大径孔部
２１ｂ      小径孔部
３７        打球発射機構
３８        発射レール
３９        打球杆
４１        ロータリーソレノイド（打球杆の駆動源）
４２        自動球送り装置
４３        保持体
５０        大径頭部
５１        細径基部
５２        嵌合突起
５７        ケース体
６４        前面壁
６５        球導入口
６７        球通路
７８        後面壁
８０        球導出口
【図１】
0004002706.tif 000002
【図２】
0004002706.tif 000003
【図３】
0004002706.tif 000004
【図４】
0004002706.tif 000005
【図５】
0004002706.tif 000006
【図６】
0004002706.tif 000007
【図７】
0004002706.tif 000008
【図８】
0004002706.tif 000009
【図９】
0004002706.tif 000010
【図１０】
0004002706.tif 000011
【図１１】
0004002706.tif 000012
【図１２】
0004002706.tif 000013